(57)【特許請求の範囲】
【請求項１】
交換可能な対物レンズを有すると共に肩で支持されるカメラのための調整可能ビューファインダ装置において、
装置光学軸上に並べられた第１レンズグループを備え、上記第１レンズグループは上記カメラの対物レンズから像を受け取って上記受け取った像を上記第１レンズグループの出口に中継し、上記第１レンズグループは上記像の視準された光線を上記出口で形成し、上記出口と上記視準された光線は上記装置光学軸の第１光学軸部分に沿って存在し、上記第１光学軸部分は上記対物レンズの光学軸に平行な第１平面内にあり、
上記第１光学軸部分上に並べられた部分を有する第２レンズグループを備え、上記第２レンズグループは上記第１レンズグループから上記像の視準された光線を受け取って、上記像を見るために上記装置光学軸の第２光学軸部分上の接眼レンズグループに上記像を中継し、上記第２光学軸部分は上記第１平面に平行な且つ上記第１平面から間隔の開いた第２平面内にあって、
上記第２レンズグループは、上記第１光学軸部分上で上記第１レンズグループに対して入れ子式に移動可能であり、上記接眼レンズ手段を通して見られる上記像は、上記第１レンズグループと上記第２レンズグループとが入れ子式に相対的に移動する間中、焦点が合ったままであることを特徴とする調整可能ビューファインダ光学装置。
【請求項２】
請求項１に記載の調整可能ビューファインダ光学装置において、上記第１レンズグループはグランドガラスを含み、上記グランドガラス上には、上記接眼レンズグループによって見ると実像としての第１中間像が上記対物レンズによって形成されることを特徴とする調整可能ビューファインダ光学装置。
【請求項３】
請求項１に記載の調整可能ビューファインダ光学装置において、上記第２レンズグループはグランドガラスを含み、上記グランドガラス上には、上記接眼レンズグループによって見ると実像としての中間像が形成されることを特徴とする調整可能ビューファインダ光学装置。
【請求項４】
請求項１に記載の調整可能ビューファインダ光学装置において、上記装置光学軸の中間光学軸部分は、上記第１光学軸部分と上記第２光学軸部分との間に垂直に延在していることを特徴とすることを特徴とする調整可能ビューファインダ光学装置。
【請求項５】
請求項４に記載の調整可能ビューファインダ光学装置において、上記第２光学軸部分は上記中間光学軸の周りに上記第２平面内で旋回可能であることを特徴とする調整可能ビューファインダ光学装置。
【請求項６】
請求項５に記載の調整可能ビューファインダ光学装置において、上記第２レンズグループは、見られる像を選択的に方向付けるペカンプリズムを含んでいることを特徴とする調整可能ビューファインダ光学装置。
【請求項７】
請求項６に記載の調整可能ビューファインダ光学装置において、上記ペカンプリズムは上記中間光学軸上に配置されていることを特徴とする調整可能ビューファインダ光学装置。
【請求項８】
請求項７に記載の調整可能ビューファインダ光学装置において、上記第１光学軸部分は上記カメラに対して前方且つ上記対物レンズの光学軸に平行に延在していることを特徴とする調整可能ビューファインダ光学装置。
【請求項９】
請求項１に記載の調整可能ビューファインダ光学装置において、像をビデオカメラの方に部分的に反射するために、上記対物レンズと上記第１光学軸部分との間の装置光学軸上に部分ミラーを更に含んでいることを特徴とする調整可能ビューファインダ光学装置。
【請求項１０】
請求項１に記載の調整可能ビューファインダ光学装置において、上記接眼レンズグループはアイフォーカスレンズグループを含み、上記実像を見る人の様々な眼の状態に適応するために、上記アイフォーカスレンズグループは上記第２光学軸部分に沿って選択的に移動できることを特徴とする調整可能ビューファインダ光学装置。
【請求項１１】
請求項１０に記載の調整可能ビューファインダ光学装置において、上記接眼レンズグループは、上記第２光学軸部分に対してアイカップを選択的に位置決めするために、上記第２光学軸部分の周りに旋回可能な長斜方形プリズムを含んでいることを特徴とする調整可能ビューファインダ光学装置。
【請求項１２】
請求項１に記載の調整可能ビューファインダ光学装置において、上記第１レンズグループは、視準された光線の像を上記出口において形成するために、上記出口の直前にダブレットレンズを含んでいることを特徴とする調整可能ビューファインダ光学装置。
【請求項１３】
請求項１２に記載の調整可能ビューファインダ光学装置において、上記第２レンズグループは、上記像の視準された光線を上記出口から受け取るために、ダブレットレンズを含んでいることを特徴とする調整可能ビューファインダ光学装置。
【請求項１４】
請求項１に記載の調整可能ビューファインダ光学装置において、上記第１光学軸部分は、カメラに対して前方且つ上記対物レンズの光学軸に平行に延在していることを特徴とする調整可能ビューファインダ光学装置。
【請求項１５】
請求項１に記載の調整可能ビューファインダ光学装置において、上記接眼レンズグループは、上記第２光学軸部分に対してアイカップを選択的に配置するために、上記第２光学軸部分の周りに旋回可能な長斜方形プリズムを含んでいることを特徴とする調整可能ビューファインダ光学装置。
【請求項１６】
請求項７に記載の調整可能ビューファインダ光学装置において、上記接眼レンズグループは、上記第２光学軸部分に対してアイカップを選択的に配置するために、上記第２光学軸部分の周りに旋回可能な長斜方形プリズムを含んでいることを特徴とする調整可能ビューファインダ光学装置。
【請求項１７】
請求項１６に記載の調整可能ビューファインダ光学装置において、上記接眼レンズグループは、上記実像を見る人の様々な眼の状態に適応するために、上記実像の位置に対して選択的に移動可能なアイフォーカスレンズグループを含んでいることを特徴とする調整可能ビューファインダ光学装置。
【請求項１８】
請求項７に記載の調整可能ビューファインダ光学装置において、上記後部レンズグループは、上記実像を見る人の様々な眼の状態に適応するために、上記実像の位置に対して選択的に移動可能なアイフォーカスレンズグループを含んでいることを特徴とする調整可能ビューファインダ光学装置。
【請求項１９】
交換可能な対物レンズを有すると共に肩で支持されるカメラのための調整可能ビューファインダ装置において、
装置光学軸上に並べられた第１レンズグループを備え、上記第１レンズグループは上記カメラの対物レンズから像を受け取って上記受け取った像を上記第１レンズグループの出口に中継し、
装置光学軸上に並べられた第２レンズグループを備え、上記第２レンズグループは上記第１レンズグループからの像の光線を受け取って見るために上記像を接眼レンズグループに中継し、
上記第２レンズグループは、上記第１レンズグループに対して一部の上記装置光学軸上で入れ子式に移動可能であり、上記第１レンズグループと上記第２レンズグループとが入れ子式に相対的に移動する間中、上記像は実質的に焦点が合ったまま且つ一定の倍率であり、
下記表１と２に記載された項目１乃至９からなる上記第１レンズグループと項目１０乃至２６からなる上記第２レンズグループとを備え、上記表１と２において、物体像平面という項目はカメラからの第１実像の形成位置であり、絞りという項目は入射瞳の位置であり、中間像という項目は中間実像の位置であり、人眼瞳孔位置は上記第１実像または上記中間実像を見るための射出瞳の位置であり、表面という欄は品目の表面を同定し、分離という欄は１つの表面から次の表面への距離を示し、曲率半径という欄は表面の半径を示し、材料の種類という欄は表面と次の表面の間の材料を同定し、最大開口直径という欄は表面を通過する光線の最大直径寸法を示すことを特徴とする調整可能ビューファインダ光学装置。
【表１】
0004187913.tif 000005
【表２】
0004187913.tif 000006
【発明の詳細な説明】
【０００１】
本出願は、１９９９年８月２６日に出願された仮出願番号６０／１５０,９１３号の利益を主張する。
【０００２】
【発明の属する技術分野】
本発明は、フィルムカメラまたはビデオカメラ等のための光学ビューファインダに関し、特に、観察者の肩上で支持されるカメラのための光学ビューファインダであって、観察者にカメラに対する心地よい位置を提供するために複数の調整が可能な光学ビューファインダに関する。
【０００３】
【従来の技術】
劇場鑑賞用のような高品質映画撮影および高品質映像製作のビデオ録画等には、カメラが観察者（所謂「カメラマン」）の肩上で支持されることが一般的になってきている。したがって、たとえこのようなカメラや付属レンズやフィルムマガジン（フィルム巻取り枠）等がかなり重くても、あるシーンは、この手持ちで接近できることによる本来の融通性を活かして撮影される。カメラマンが最適な動きをしカメラマンが手軽に扱うためには、ビューファインダの位置に付いたときのカメラマンの眼と、カメラマンの肩上で支持されるカメラおよび付属品の重心との間には、適切な空間的関係が存在しなければならない。この適切な空間的関係は、例えば頭の大きさや首の長さや通常の姿勢などの身体の特徴あるいは個人的な好みによってカメラマン毎に異なる。さらに、カメラの重心と重量は、カメラの選択や、カメラの構成要素や必要な器具、例えばレンズやフィルムマガジンやバッテリ電源などの大きさや重さや形状によってかなり異なる。さらに、眼をビューファインダのアイカップ上に置いたときのカメラとカメラマンの頭の相対的な位置や、カメラの重量および重心は全体として実質上変化する。これはカメラマンにとって心地悪いものであって、この不便さによって、また、カメラおよびカメラ器具との組み合わせに対してビューファインダを最適な位置に調節できないことによって、カメラを有効に操作できなくなる場合すらある。
【０００４】
今まで、この問題の唯一の解決法は、平均的なカメラマンの身体的特徴および好みと付属構成部品を有する平均的なカメラとに基づいて、可能な場合は、カメラの構成要素を再配列して妥協を試みることであった。このことにより、ビューファインダのアイカップ位置とカメラマンの肩上のカメラの重心とは、殆どのカメラマンと全てのカメラの形態に対して、最善ではないにしても許容し得る配置となる。
【０００５】
【発明が解決しようとする課題】
しかしながら、カメラの構成要素を再配列することによって、また、釣り合いをとるためにことによるとカメラにダミーウェイト（擬製錘）を追加することによって、カメラ操作の柔軟性と融通性は実質上減少する。このことにより、肩上で支持される（しばしば「手持ちの」と言われる）カメラに意図した目的を壊してしまう。また、カメラがカメラマンの頭に非常に近いために、肩上で支持されるカメラには、ビューファインダを配置する空間は殆どない。さらに、理想的には、ビューファインダの重量は最小限にしなければならない。
【０００６】
その他の固有の問題は、高性能のカメラビューファインダを提供することに内在しており、この高性能のカメラビューファインダは、カメラに対してアイカップの位置を調節することに加えて、例えば近視や遠視、右目あるいは左目を使う好み等、全てのカメラマンに適合し、これらの全ては、カメラマンによって見られる映像の大きさと質を変えずに最良になされなければならない。
【０００７】
それゆえ、本発明の目的は、適当なフレームとパッドによってカメラマンの肩上に通常支持される手持ち型のカメラの新しいビューファインダを提供することにあり、このビューファインダは、可変的に調整可能な人眼観察位置をカメラマンに与える。特に、本発明は、カメラマンの肩上で支持されるカメラの重量および重心の変化によって生み出される問題を軽減し、カメラマンの身体的特徴や個人的な好みに基づいて、ビューファインダのアイカップの最適な位置をそれぞれのカメラマンが選択できるようにしている。
【０００８】
本発明のもう１つの目的は、ビューファインダ内に実像を形成するレンズグループを備えており、この実像は、アイカップの位置を最適化するためにビューファインダを前後方向に調整する間、レンズグループの相互接離という伸縮自在な長手方向の移動の全体に渡って、焦点が合ったままであり同じ倍率のままであるビューファインダで、肩上で支持されるカメラのための調整可能なビューファインダを提供することである。
【０００９】
本発明のさらなる目的は、人眼観察位置が射出瞳の位置とその残留収差に関連し、その位置がほとんど一定で、いかなる変化もビューファインダのアイカップにおける観察位置で少し調整することによって簡単に適応されるような人眼観察位置を有する調整可能なビューファインダを提供することである。
【００１０】
本発明のさらなる目的は、観察者/カメラマンの異なる眼の状態に、例えば近視や遠視に適合するために、アイカップの移動すなわち観察者の眼の移動を要しない選択的に調整可能な内部フォーカスレンズグループを提供することである。本発明のその他のさらなる目的は、ビューファインダの射出瞳を最適に配置してカメラマンの好みで右目か左目で見るために、カメラをカメラマンの頭と同じ側に配置したままで、すなわちカメラの一方から他方にビューファインダを切り換えることなく、選択的に方向付けできる調節可能なビューファインダを提供することである。
【００１１】
本発明のさらに別のさらなる目的は、望ましいその他の特徴であって且つしばしばビューファインダに包含される特徴を含み得るような調整可能なビューファインダを提供することであり、上記その他の特徴とは、例えば、光学的な非歪像化や、一定の像を正しく方向付けするための光学的手段または機械的手段や、最終レンズ要素の電気霜取りや、ビューファインダを通して観察できる可視および／または照明されたピクチャフレームラインなどであって、ビューファインダの調整可能性を妨げることのないものである。
【００１２】
【課題を解決するための手段】
上記目的を達成するため、請求項１の発明の調整可能ビューファインダ装置は、交換可能な対物レンズを有すると共に肩で支持されるカメラのための調整可能ビューファインダ装置において、装置光学軸上に並べられた第１レンズグループを備え、上記第１レンズグループは上記カメラの対物レンズから像を受け取って上記受け取った像を上記第１レンズグループの出口に中継し、上記第１レンズグループは上記像の視準された光線を上記出口で形成し、上記出口と上記視準された光線は上記装置光学軸の第１光学軸部分に沿って存在し、上記第１光学軸部分は上記対物レンズの光学軸に平行な第１平面内にあり、上記第１光学軸部分上に並べられた部分を有する第２レンズグループを備え、上記第２レンズグループは上記第１レンズグループから上記像の視準された光線を受け取って、上記像を見るために上記装置光学軸の第２光学軸部分上の接眼レンズグループに上記像を中継し、上記第２光学軸部分は上記第１平面に平行な且つ上記第１平面から間隔の開いた第２平面内にあって、上記第２レンズグループは、上記第１光学軸部分上で上記第１レンズグループに対して入れ子式に移動可能であり、上記接眼レンズ手段を通して見られる上記像は、上記第１レンズグループと上記第２レンズグループとが入れ子式に相対的に移動する間中、焦点が合ったままであることを特徴としている。
【００１３】
請求項２の発明の調整可能ビューファインダ装置は、請求項１に記載の調整可能ビューファインダ光学装置において、上記第１レンズグループがグランドガラスを含み、上記グランドガラス上には、上記接眼レンズグループによって見ると実像としての第１中間像が上記対物レンズによって形成されることを特徴としている。
【００１４】
請求項３の発明の調整可能ビューファインダ装置は、請求項１に記載の調整可能ビューファインダ光学装置において、上記第２レンズグループがグランドガラスを含み、上記グランドガラス上には、上記接眼レンズグループによって見ると実像としての中間像が形成されることを特徴としている。
【００１５】
請求項４の発明の調整可能ビューファインダ装置は、請求項１に記載の調整可能ビューファインダ光学装置において、上記装置光学軸の中間光学軸部分が、上記第１光学軸部分と上記第２光学軸部分との間に垂直に延在していることを特徴とすることを特徴としている。
【００１６】
請求項５の発明の調整可能ビューファインダ装置は、請求項４に記載の調整可能ビューファインダ光学装置において、上記第２光学軸部分が上記中間光学軸の周りに上記第２平面内で旋回可能であることを特徴としている。
【００１７】
請求項６の発明の調整可能ビューファインダ装置は、請求項５に記載の調整可能ビューファインダ光学装置において、上記第２レンズグループが、見られる像を選択的に方向付けるペカンプリズムを含んでいることを特徴としている。
【００１８】
請求項７の発明の調整可能ビューファインダ装置は、請求項６に記載の調整可能ビューファインダ光学装置において、上記ペカンプリズムが上記中間光学軸上に配置されていることを特徴としている。
【００１９】
請求項８の発明の調整可能ビューファインダ装置は、請求項７に記載の調整可能ビューファインダ光学装置において、上記第１光学軸部分が上記カメラに対して前方且つ上記対物レンズの光学軸に平行に延在していることを特徴としている。
【００２０】
請求項９の発明の調整可能ビューファインダ装置は、請求項１に記載の調整可能ビューファインダ光学装置において、像をビデオカメラの方に部分的に反射するために、上記対物レンズと上記第１光学軸部分との間の装置光学軸上に部分ミラーを更に含んでいることを特徴としている。
【００２１】
請求項１０の発明の調整可能ビューファインダ装置は、請求項１に記載の調整可能ビューファインダ光学装置において、上記接眼レンズグループがアイフォーカスレンズグループを含み、上記実像を見る人の様々な眼の状態に適応するために、上記アイフォーカスレンズグループが上記第２光学軸部分に沿って選択的に移動できることを特徴としている。
【００２２】
請求項１１の発明の調整可能ビューファインダ装置は、請求項１０に記載の調整可能ビューファインダ光学装置において、上記接眼レンズグループが、上記第２光学軸部分に対してアイカップを選択的に位置決めするために、上記第２光学軸部分の周りに旋回可能な長斜方形プリズムを含んでいることを特徴としている。
【００２３】
請求項１２の発明の調整可能ビューファインダ装置は、請求項１に記載の調整可能ビューファインダ光学装置において、上記第１レンズグループが、視準された光線の像を上記出口において形成するために、上記出口の直前にダブレットレンズを含んでいることを特徴としている。
【００２４】
請求項１３の発明の調整可能ビューファインダ装置は、請求項１２に記載の調整可能ビューファインダ光学装置において、上記第２レンズグループが、上記像の視準された光線を上記出口から受け取るために、ダブレットレンズを含んでいることを特徴としている。
【００２５】
請求項１４の発明の調整可能ビューファインダ装置は、請求項１に記載の調整可能ビューファインダ光学装置において、上記第１光学軸部分が、カメラに対して前方且つ上記対物レンズの光学軸に平行に延在していることを特徴としている。
【００２６】
請求項１５の発明の調整可能ビューファインダ装置は、請求項１に記載の調整可能ビューファインダ光学装置において、上記接眼レンズグループが、上記第２光学軸部分に対してアイカップを選択的に配置するために、上記第２光学軸部分の周りに旋回可能な長斜方形プリズムを含んでいることを特徴としている。
【００２７】
請求項１６の発明の調整可能ビューファインダ装置は、請求項７に記載の調整可能ビューファインダ光学装置において、上記接眼レンズグループが、上記第２光学軸部分に対してアイカップを選択的に配置するために、上記第２光学軸部分の周りに旋回可能な長斜方形プリズムを含んでいることを特徴としている。
【００２８】
請求項１７の発明の調整可能ビューファインダ装置は、請求項１６に記載の調整可能ビューファインダ光学装置において、上記接眼レンズグループが、上記実像を見る人の様々な眼の状態に適応するために、上記実像の位置に対して選択的に移動可能なアイフォーカスレンズグループを含んでいることを特徴としている。
【００２９】
請求項１８の発明の調整可能ビューファインダ装置は、請求項７に記載の調整可能ビューファインダ光学装置において、上記後部レンズグループが、上記実像を見る人の様々な眼の状態に適応するために、上記実像の位置に対して選択的に移動可能なアイフォーカスレンズグループを含んでいることを特徴としている。
【００３０】
請求項１９の発明の調整可能ビューファインダ装置は、交換可能な対物レンズを有すると共に肩で支持されるカメラのための調整可能ビューファインダ装置において、装置光学軸上に並べられた第１レンズグループを備え、上記第１レンズグループは上記カメラの対物レンズから像を受け取って上記受け取った像を上記第１レンズグループの出口に中継し、装置光学軸上に並べられた第２レンズグループを備え、上記第２レンズグループは上記第１レンズグループからの像の光線を受け取って見るために上記像を上記接眼レンズグループに中継し、上記第２レンズグループは、上記第１レンズグループに対して一部の上記装置光学軸上で入れ子式に移動可能であり、上記第１レンズグループと上記第２レンズグループとが入れ子式に相対的に移動する間中、上記像は実質的に焦点が合ったまま且つ一定の倍率であり、下記表１と２に記載された項目１乃至９からなる上記第１レンズグループと項目１０乃至２６からなる上記第２レンズグループとを備え、上記表１と２において、物体像平面という項目はカメラからの第１実像の形成位置であり、絞りという項目は入射瞳の位置であり、中間像という項目は中間実像の位置であり、人眼瞳孔位置は上記第１実像または上記中間実像を見るための射出瞳の位置であり、表面という欄は品目の表面を同定し、分離という欄は１つの表面から次の表面への距離を示し、曲率半径という欄は表面の半径を示し、材料の種類という欄は表面と次の表面の間の材料を同定し、最大開口直径という欄は表面を通過する光線の最大直径寸法を示すことを特徴としている。
【００３１】
この発明のその他のより詳細な目的および利点は、好ましい実施形態および図面から当業者には容易に明らかとなる。
【００３２】
【発明の実施の形態】
この発明の調整可能なビューファインダ光学装置の詳細な説明を行う前に、本発明の調整可能なビューファインダの一般的な配置およびカメラマンがそれを用いる方法が、図１（ａ）から４（ｂ）に関連して先ず記載される。カメラボディＣは肩支持リグＲ上に設けられ、好ましくは、肩支持リグＲは調整可能で、カメラマン／観察者の右肩上にカメラとカメラ付属品を支持するための肩支持パッドＳを有する。上記カメラマン／観察者は、本発明のビューファインダの調整範囲を図示するために、平均よりも小さいサイズの頭部を持つ観察者ＶSHとして、或いは平均よりも大きいサイズの頭部を持つ観察者ＶLHとして図面では識別されている。肩支持リグＲは、１つ或いは２つの前方に伸長するハンドルを含み、カメラマンはこの前方伸長ハンドルを掴んで、カメラボディＣの動きを安定させる。レンズは、カメラボディＣの前部に取付けられて前部から突出している。そして、このレンズは、種々の図に示す様に、比較的軽くて小さいレンズＬSか或いは比較的重くて大きなレンズＬLである。このレンズはカメラアセンブリの重量を明かに変化させ、その重心を前後に移動させる。映画フィルム用またはビデオテープ用のマガジン（フィルム巻取り枠）Ｍは、一般的にはカメラボディＣの後方に取付けられる。マガジンＭのサイズおよびその中のフィルムやテープの量が全重量を変化させ、カメラアセンブリの重心は前後に移動する。レンズやマガジンの重量およびサイズが変動するために、肩支持パッドＳでカメラマンの肩上のカメラボディＣを支持するのに最も快適な位置が変化し、したがってカメラボディＣはカメラ支持リグＲに対して前後に移動され得る。通常、従来のビューファインダを使用すると、この前後の移動はカメラマンの頭部に対して心地よくない姿勢を生じさせ、カメラマンは、ビューファインダの可撓性アイカップＥに、彼の眼窩を置かねばならず、その姿勢は長時間撮影するときには非常に具合が悪く不快なものとなる。
【００３３】
本発明の調整可能なビューファインダＦは、カメラボディＣの側部に取り付けられていて、続いて記載されている図からより完全に理解されるが、ビューファインダＦは連続部分を有していて、その連続部分は、横方向外側に伸長し、次に上方に、次に先方に、次に再び横方向外側に、最後に後方にカメラマンの頭部に向かって伸長する。ビューファインダＦは旋回点Ｐを含んでいて、ビューファインダの後方に伸長する部分ＦRが、カメラボディＣの水平横方向に伸長する軸の周りに旋回運動ができる。本発明の光学装置が故に、ビューファインダＦの前方伸長部分ＦFは長手方向に入れ子式（伸縮自在）に調整可能であって、カメラマンの眼が最も快適な位置に合うように、カメラボディＣに対してアイカップＥを前後に移動できる。この最も快適な位置というのは、上述したように、カメラマンの身体的特徴と個人的な好みによって変化する。例えば、図１（ａ）と１（ｂ）とは、小さなレンズＬSと比較的小さな頭部を持ったカメラマンとを示し、このために、ビューファインダＦの後方部分ＦRとアイカップＥが、後方に最大距離移動されている。この最大距離は、アイカップＥからカメラのビューファインダの取り付け位置までの距離ｄ1によって示されている。一方、図２（ａ）と２（ｂ）は、比較的小さな頭部を持った同一のカメラマンと大きなレンズＬLの配置を示しており、このために、カメラボディＣは後方に好適に移動されていて、大きなレンズＬLによって引き起こされた組立て品の重心の前方移動を調整している。したがって、アイカップＥからビューファインダ取付け部までの距離ｄ2は、図１（ａ）および１（ｂ）に示す距離ｄ1よりも小さい。したがって、同一のカメラマンは、肩上のカメラＣと眼窩上のアイカップＥとを快適に配置するためには、異なる長さのビューファインダを必要とする。同様に、同一の小さなレンズＬSと比較的大きな頭部のカメラマンの場合には、図３（ａ）と３（ｂ）とに示すように、距離ｄ3は、恐らく、図１（ａ）と１（ｂ）に示す距離ｄ1ほど大きくないが、図２（ａ）と２（ｂ）に示す距離ｄ2ほど小さくない。さらに、図４（ａ）と４（ｂ）に示すように、大きなレンズＬLと同一の比較的大きな頭部を持つカメラマンの場合には、快適な重量バランスとアイカップＥ位置を達成するために、ビューファインダＦの距離ｄ4は非常に短い。
【００３４】
図１（ａ）と４（ｂ）は、様々な条件を単純化して比較するために、略水平な後方部分ＦRを示している。しかし、理解しておかねばならないことは、個々のカメラマンを快適にさせるために、この後方に伸長している部分ＦRは、旋回点Ｐの周りに上方あるいは下方に旋回可能であること、また、このような旋回調整は前方に伸長する部分ＦFの入れ子式調整をも必要とすることである。注目すべきことは、長手方向の調整がビューファインダＦの前方に伸長する部分ＦFで行われるので、これらの全ての図において、旋回点ＰとアイカップＥとの間の距離は一定である。また、カメラボディＣはカメラボディＣの重心の移動やカメラマン／観察者の好みによって移動する必要があるが、注目すべきであることは、これらの図に示すように、カメラボディＣの移動位置に対してカメラマン／観察者の肘の曲げ角度が変化すると共に、これら角度の変化は本発明の調整可能なビューファインダで順応され得る。例えば、垂直面における角度α1，α2，α3，α4および水平面における角度β1，β2，β3，β4は、図１（ａ）から４（ｂ）の中では実質上変化する。
【００３５】
図５（ａ）〜５（ｃ）を参照すると、ビューファインダＦの光学要素の光学線図が、ビューファインダＦの入れ子式調整に関する３つの異なる位置で示されており、図１（ａ）〜４（ｂ）に示される物理的構造にあって多数の屈曲を形成する光学軸の上に、光学要素を図示するのではなく、全ての光学要素が真っ直ぐな光学軸上に配置された状態であるので、光学線図はより容易に理解される。
【００３６】
図５（ａ），５（ｂ），５（ｃ）の間における唯一の物理的な相違は、調整位置ＡＰでの軸方向距離にある。その変化する軸方向距離距離は、図５（ａ）と図５（ｂ）と図５（ｃ）の間に伸びる破線によって写実的に示されている。図５（ａ）はビューファインダＦの最短長さ、図５（ｂ）は中間長さ、図５（ｃ）は最長長さを示している。図５（ａ）〜５（ｃ）において、識別と説明の便宜のために、光学軸に沿った各光学要素は、数字１から２７によって識別され、これらの要素の各表面は「Ｓ」の後に数字を付けることによって識別される。光学要素の各グループは「Ｇ」の後に数字を付けることによって識別され、入れ子式調整のために相対的に移動する光学要素の主要グループはＭ１とＭ２とによって識別される。
【００３７】
さらに、図示を明確にさせるために、数字や文字は、３つの図５の各々には重複するので与えられていない。光学要素およびそれらの位置は識別され、それらの明細は下記の表３,４,５に記載されている。下記の表３,４,５では、光学要素が、図５（ａ）〜５（ｃ）の数字に対応する番号によって識別されている。すなわち、光学要素は「項目」という標識の第１欄に列挙され、各要素が所属するグループは「グループ」という標識の欄において識別され、各要素の表面は「表面」という標識の欄において識別されている。３つの代表的位置Ａ，Ｂ，Ｃ（それぞれ、図５（ａ），５（ｂ），５（ｃ）に示した位置に対応している）の各々に対する各要素の位置は、「調整位置」という標識の欄において識別されている。要素の各表面とそれに先立つ表面との間の距離は、「分離」という標識の欄に記載されている。各要素表面の曲率半径は、もしあれば、「曲率半径」という標識の欄に記載されている。各要素の材料は、「材料」という標識の下の３つの欄に種類とコードと名称によって与えられている。その表面の「最大開口直径」は、その標識を持つ最後の欄に記載されている。表５の最終部の脚注は、付加的情報を提供すると共にこの光学的処方の並外れた特性を明かにしていて、上記特性は業者が完全に理解するのに必要となり得る。表３,４,５の全データおよび図７（ａ）から図１２（ｂ）のグラフと曲線の全ては、２０℃（華氏６８度）の温度と標準大気圧（７６０ｍｍＨｇ）に対して与えられている。
【表３】
0004187913.tif 000002
【表４】
0004187913.tif 000003
【表５】
0004187913.tif 000004
【００３８】
前述の表３と図５（ａ）〜５（ｃ）とから、表面Ｓ１６とＳ１７との間の調整位置ＡＰの長さは、位置「Ａ」の１．０００ｍｍから位置「Ｃ」の２１．３２０ｍｍまで変化できる。これら「Ａ」と「Ｃ」の位置は両極端の位置であって、位置「Ｂ」は中間の位置を示している。また、図５（ａ）〜５（ｃ）が示していることは、ビューファインダＦの入れ子式の調整範囲に渡って、光線跡が知覚できる程変化しなくて、これのために、カメラマンがビューファインダＦを通して見る像は、長手方向の調整移動範囲に渡って、同じ大きさのままで焦点が合い、像の品質も本質的に同じままであるということである。これは、位置Ａに対しては図７（ａ）〜７（ｅ）の光線収差線図によって、位置Ｂに対しては図８（ａ）〜８（ｅ）の光線収差線図によって、位置Ｃに対しては図９（ａ）〜９（ｅ）の光線収差線図によって確認された。また、位置Ａに対しては図１０（ａ）〜１０（ｂ）の非点収差を補正する視野曲線と歪み曲線によって、位置Ｂに対しては図１１（ａ）〜１１（ｂ）の非点収差を補正する視野曲線と歪み曲線によって、位置Ｃに対しては図１２（ａ）〜１２（ｂ）の非点収差を補正する視野曲線と歪み曲線によって確認された。これらのＡ，Ｂ，Ｃの位置は、それぞれ表３に列挙されたもの、および図５（ａ）〜５（ｃ）に示されたものと同じである。図７（ａ）〜７（ｅ）と図８（ａ）〜８（ｅ）と図９（ａ）〜９（ｅ）においては、様々なグラフの線は、４５０．０ｎｍ（ナノメータ）から６４３．８ｎｍの間の波長を作用させていることを示す。
【００３９】
具体的には、長い破線は４５０．０ｎｍであり、短い破線は４８６．１ｎｍであり、実線は５４６．１ｎｍであり、一点鎖線は５８７．６ｎｍであり、非常に短い破線は６４３．８ｎｍである。
【００４０】
図６（ａ）と６（ｂ）とを参照すると、図６（ａ）と６（ｂ）は、図５（ａ）に類似している光学線図であり、長斜方形プリズム２６の２つの異なる位置におけるビューファインダの平面図を示している。長斜方形プリズム２６は、ビューファインダＦの肘部に取付けられて、後方に伸長する部分ＦＲの軸の周りに旋回可能である。図６（ａ）では、肘部と長斜方形プリズム２６は、カメラマンが位置ＥＰ１において右眼で見るために右に旋回されており、図６（ｂ）では、カメラマンが位置ＥＰ２において左眼で見るために左に旋回されている。
【００４１】
注意すべきことは、図６（ａ）の位置ＥＰ１は、図１（ｂ），２（ｂ），３（ｂ），４（ｂ）の平面図では実線で示されており、図６（ｂ）の位置ＥＰ２は、同じ図１（ｂ），２（ｂ），３（ｂ），４（ｂ）の平面図では破線で示されていることである。
【００４２】
図１３を参照すると、カメラボディＣの前部に取付けられる対物レンズＬと共に、ビューファインダＦの光学装置の斜視線図が３次元的に示めされている。レンズＬからの光は、従来のように、フィルム面の前にあるカメラボディＣ内のミラー付きのシャッタによって点ＰＳで反射して、光を第１の光学軸Ｏ1に沿って送る。点ＰＳ以降の光学要素は、図５（ａ）〜５（ｃ）に示めされていると共に表３,４,５に列挙されているが、それら光学要素の物理的関係について述べる。点ＰＳ後では、光線および軸Ｏ1は、カメラボディＣの内部に向かってビューファインダＦの本体内部の中に入るように方向付けられる。対物レンズＬによって作り出された第１中間像は、従来のように、カメラボディ内のグランドガラス１上に形成される。部分ミラーすなわちビームスプリッター３は、レンズＬによって取られた光景をモニターするために、光の一部をビデオ光学軸ＯVに沿ってビデオカメラＣVに方向付けられる。これもまた、高品質な職業用映画カメラに対して従来から行われている。このビデオカメラＣVは、カメラボディＣの外側に装着されるハウジング（図示せず）に取り付けられる。ビームスプリッタ３を通過する光線は、ダミーウィンドウ（ダミー窓）４とレンズ５を通過してミラー６に至る。ミラー６は光を第２の光学軸Ｏ2に沿って上方にミラー７の方へ反射する。ミラー７は光を第３の光学軸Ｏ3に沿って前方に反射する。光学軸Ｏ3は、図１（ａ）〜４（ｂ）に示された前方に伸長する部分ＦFの水平軸である。プリズム１２は光を第４の光学軸Ｏ4に沿うように反射して、ガラス要素１３と１４を備えたペカンプリズム（Pechan Prism）に光を通す。光学軸Ｏ4は、図１（ａ）〜４（ｂ）に示されるように、旋回点ＰにおいてカメラボディＣの水平横方向に延在する旋回軸を備える。ペカンプリズム１３は、軸Ｏ4上に設けられていて、ビューファインダ後方部分ＦRが水平軸Ｏ4の周りを旋回するとき、像の直立状態を維持するように自動的に像を方向付ける。プリズム１６は、光が光軸Ｏ4から第５の光軸Ｏ5に沿って長斜方形プリズム２６に至るように光を反射する。次に、長斜方形プリズム２６はアイカップＥの方に光を反射し、アイカップＥでカメラマン／観察者Ｖの眼ＶEによって光を見る。調整位置ＡＰでの距離を変化させるために軸Ｏ3に沿って軸方向に分離可能であるダブレット（２重）レンズ８，９とダブレットレンズ１０，１１の間の距離を除いて、光学軸の前記軸部分に沿った距離は同じままである。表３に示すように、この調整可能な距離は、表面Ｓ１６と表面Ｓ１７の間に存在し、この実施例では１．０００ｍｍから２１．３２０ｍｍの間で変化できる。光線は、図５（ａ）〜５（ｃ）に示すように、表面Ｓ１６とＳ１７との間で視準すなわち実質的に平行にされ、これによって、カメラマン／観察者Ｖによって見られる像は、調整移動する間ずっと同じままである。他のビューファインダあるいは単独のビデオモニターを使用するために、好ましくは、光学パワーが零のダミーウィンドウ４が、（カメラボディＣに取付けられている図示しないビデオカメラハウジングの所で）カメラからビューファインダＦを取り外すことができるように設けられている。また、グランドガラス１は、ビデオピックアップを���上させるために無地のガラスであってもよく、その場合、グランドガラスは、第２中間像が形成されるダミーウィンドウ２０の位置に設けられる。
【００４３】
図１３に示す光学要素ＡＭ１とＡＭ２は（図５（ａ）〜５（ｃ）あるいは表３,４,５には示されていない）、レンズＬが歪像化レンズであるときに、像を光学的に歪像化させないためのものである。そして、これら２つの要素は、球面レンズＬが使用されるときは、光学軸Ｏ3から物理的にはずされ、これによって、カメラマンはビューファインダＦを通して常に正常な映像を見ることになる。光学レンズ要素２２〜２５は（図１５（ａ）と１５（ｂ）とにより明確に示されている）、アイフォーカスレンズを構成し、カメラマンの特別な眼の状態すなわち近視または遠視に適応させるために調整可能である。また、図５（ａ），５（ｂ），５（ｃ）の調整位置に関しては、表４の表面Ｓ５３に続く調整位置Ａ，Ｂ，Ｃによってそれぞれ示されるように、完全な人眼位置に対する微小調整がある。
【００４４】
図１４（ａ）と１４（ｂ）とを参照すると、図１４（ａ）と１４（ｂ）は、ビューファインダＦの光学装置の斜視線図であり、僅かに異なる視点から見たものであるが、図１３と同じである。ダブレット８，９とダブレット１０，１１との間の伸縮自在な調整（入れ子式調整）は、最小距離ＤAと最大距離ＤCとによって写実的に示されている。最小距離ＤAと最大距離ＤCとは、それぞれ、表３に記載された調整位置ＡとＣによって表された間隔および図５（ａ）と５（ｃ）に示された間隔に相関している。同様に、図１５（ａ）と１５（ｂ）は例えばミラー８，９を単一ミラーとして示した光学装置の簡略化された平面図であるが、図１５（ａ）と１５（ｂ）とから、観察者の眼ＶEとダブレット８，９の表面Ｓ１５との間の寸法ＤEが、図１５（ａ）の伸縮自在な位置から図１５（ｂ）のもう１つの伸縮自在な位置まで変化することが分かる。したがって、図１４（ａ），１４（ｂ），１５（ａ），１５（ｂ）は、カメラボディＣが観察者の眼ＶEおよび肩Ｓに対して前方および後方に移動され得ることを示している。逆に言えば、眼ＶEはカメラボディＣに対して動かされ得ることを示している。図１５（ａ）と図１５（ｂ）とは、図５（ａ）と図５（ｃ）にそれぞれ対応し、また、カメラボディＣ内のビデオ軸ＯV上に配置されたビデオカメラＣVを概略的に示している。但し、ビデオカメラＣVは図示するために垂直位置から水平位置に回転されている。また、従来から専門家のカメラビューファインダに含まれているデミスター（曇り止め）要素２７が示されており、このデミスター要素２７は、表面Ｓ５２の曲率半径によって表に示されているように、ここでは微弱な光学パワーを持つ。
【００４５】
本発明は、特定の光学要素と寸法を持つビューファインダＦの特定の実施例に関して説明されているが、異なる光学要素と寸法が使用され得ることは当業者によって容易に理解されるであろう。例えば、開示された特定の実施例に対する両極端の調整位置ＡＰ間の移動範囲は、２０．３２ｍｍ（Ｃ位置の２１．３２ｍｍとＡ位置の１．００ｍｍとの差）である。しかし、例えば異なるカメラに対して所望の範囲あるいは必要な範囲を与えるために、この距離はより大きく或いはより小さくできる。カメラボディＣは、ビデオカメラＣｖと、カメラボディＣの側部に直接取付けられたそのハウジングとを含むものであるが、上述の実施例は非常にコンパクトであって、カメラボディＣの側部に取付けられた全ビューファインダ光学装置は、すなわち、光学軸Ｏ1上のグランドガラス１から長斜方形プリズムおよび光学軸Ｏ2上のデミスター２７までの全ての光学要素は、６．５８６インチ（１６７．２８ｍｍ）の縦方向の長さと、僅か６．５３６インチ（１６６．０１ｍｍ）（ビデオカメラ部分が無い場合、僅か４．８１１インチ）の横幅と、僅か４．２８１インチ（１０８．７４ｍｍ）の高さを持つ直角のボックス内に収まる。このことは、カメラマン／観察者の肩の上に支持されるのに適した小さく軽量の職業用のカメラには、非常に重要なことである。ダミーウィンドウ４の所で取り外し可能であるビューファインダ部Ｆだけの物理的外形寸法は、すなわち、ビデオカメラＣｖとカメラボディの側部に取付けられたビデオカメラのハウジングとを除いて、円筒形胴部と調整リングとアイカップと光学要素４から２７までのハウジングとを含んだ寸法は、僅か８．３３０インチ（２１１．５８ｍｍ）長さ、５．３４８インチ（１３５．８４ｍｍ）幅、５．１５１インチ（１３０．８４ｍｍ）高さである。このようにして、上述した全てから、上記ビューファインダＦが本発明の概要で上述した各目的を達成することは、当業者には容易に理解される。
【図面の簡単な説明】
【図１】  図１(ａ),(ｂ)は、それぞれ、本発明の調整可能なビューファインダを有し肩で支持されるカメラを持ったカメラマンの概略側面図および平面図であり、平均的な大きさの頭よりも小さい頭を持つカメラマンと小さなレンズの付いたカメラとを適合させるためのビューファインダの調整位置を示している。
【図２】  図２(ａ),(ｂ)は、それぞれ、本発明の調整可能なビューファインダを有し肩で支持されるカメラを持ったカメラマンの概略側面図および平面図であり、平均的な大きさの頭よりも小さい頭を持つカメラマンと、大きなレンズが付いていること以外は図１(ａ),(ｂ)に示されているのと同じカメラとを適合させるためのビューファインダの調整位置を示している。
【図３】  図３(ａ),(ｂ)は、それぞれ、本発明の調整可能なビューファインダを有し肩で支持されるカメラを持ったカメラマンの概略側面図および平面図であり、平均的な大きさの頭よりも大きい頭を持つカメラマンと、小さなレンズが付いていること以外は図１(ａ),(ｂ)に示されているのと同じカメラとを適合させるためのビューファインダの調整位置を示している。
【図４】  図４(ａ),(ｂ)は、それぞれ、本発明の調整可能なビューファインダを有し肩で支持されるカメラを持ったカメラマンの概略側面図および平面図であり、平均的な大きさの頭よりも大きい頭を持つカメラマンと、大きなレンズが付いていること以外は図１(ａ),(ｂ)に示されているのと同じカメラとを適合させるためのビューファインダの調整位置を示している。
【図５】  図５(ａ),(ｂ),(ｃ)は、本発明の調整可能なビューファインダの好ましい実施形態の光学線図であり、この光学線図は、以下に記述されるように、調整可能なビューファインダの物理的な実施形態において存在する複数の角度を含んでおらず、直線で光学軸を示していて、３つの調整位置、すなわち、それぞれ最短、中間、最長の長さの所にビューファインダを有している。
【図６】  図６(ａ),(ｂ)は、図５(ａ)−(ｃ)に類似した光学線図であるが、特に、カメラマンによる左目あるいは右目での観察に適合させるための光学要素とその位置とを示すための平面図としての光学線図である。
【図７】  図７(ａ)乃至図７(ｅ)は、図５(ａ)に示されたビューファインダの長手方向の望遠部の位置における本発明のビューファインダ光学装置の性能を示す光線収差のグラフである。
【図８】  図８(ａ)乃至図８(ｅ)は、図５(ｂ)に示されたビューファインダの長手方向の望遠部の位置における本発明のビューファインダ光学装置の性能を示す光線収差のグラフである。
【図９】  図９(ａ)乃至図９(ｅ)は、図５(ｃ)に示されたビューファインダの長手方向の望遠部の位置における本発明のビューファインダ光学装置の性能を示す光線収差のグラフである。
【図１０】  図１０(ａ),(ｂ)は、図５(ａ)に示されたビューファインダの長手方向の望遠部の位置における本発明のビューファインダ光学装置に対する非点収差と歪曲特性のグラフである。
【図１１】  図１１(ａ),(ｂ)は、図５(ｂ)に示されたビューファインダの長手方向の望遠部の位置における本発明のビューファインダ光学装置に対する非点収差と歪曲特性のグラフである。
【図１２】  図１２(ａ),(ｂ)は、図５(ｃ)に示されたビューファインダの長手方向の望遠部の位置における本発明のビューファインダ光学装置に対する非点収差と歪曲特性のグラフである。
【図１３】  図１３は、本発明の調整可能なビューファインダ光学装置の光学構成要素の概略斜視図である。
【図１４】  図１４(ａ),(ｂ)は、図１３に類似した本発明の調整可能なビューファインダ光学装置の光学要素の概略斜視図であり、それぞれ図５(ａ)および図５(ｃ)の光学線図に対応するビューファインダの長手方向の伸縮自在な移動の２つの極端位置を示している。
【図１５】  図１５(ａ),(ｂ)は、本発明の光学装置の調整可能なビューファインダの光学要素の単純化された概略斜視図であり、それぞれ、図５(ａ)および図５(ｃ)の光学線図に対応するビューファインダの長手方向の伸縮自在な調整の２つの極端位置を示している。
【符号の説明】
１…グランドガラス、
３…部分ミラー、
８…ダブレットレンズ、
９…ダブレットレンズ、
１０…ダブレットレンズ、
１１…ダブレットレンズ、
１３…ペカンプリズム、
２６…長斜方形プリズム、
Ｌ…対物レンズ、
Ｅ…アイカップ、
Ｏ3…第１光学軸部分、
Ｏ4…中間光学軸部分、
Ｏ5…第２光学軸部分。
【図１】
0004187913.tif 000007
【図２】
0004187913.tif 000008
【図３】
0004187913.tif 000009
【図４】
0004187913.tif 000010
【図５】
0004187913.tif 000011
【図６】
0004187913.tif 000012
【図７】
0004187913.tif 000013
【図８】
0004187913.tif 000014
【図９】
0004187913.tif 000015
【図１０】
0004187913.tif 000016
【図１１】
0004187913.tif 000017
【図１２】
0004187913.tif 000018
【図１３】
0004187913.tif 000019
【図１４】
0004187913.tif 000020
【図１５】
0004187913.tif 000021